(57)【要約】【課題】  本発明は、感温性粘着テープを利用した急角度昇降ベルトコンベアの提供を課題とする。【解決手段】  搬送物１４を低位置から高位置又は高位置から低位置へと搬送する急角度昇降ベルトコンベア１におけるコンベアベルト２を熱伝導性に優れる金属材料によって形成すると共に、温度変化に応じて粘着状態から非粘着状態への可逆的変化を起こす感温性粘着層１２を有する感温性粘着テープ８をコンベアベルト２の搬送面６上に貼着して成り、さらに、急角度昇降ベルトコンベア１の搬送区間ＡＢを、上流側の傾斜搬送区間ＡＣと下流側の水平搬送区間ＣＢとで構成し、傾斜搬送区間ＡＣの搬送開始点Ａよりも上流に感温性粘着テープ８の感温性粘着層１２を粘着状態となる温度にする粘着状態化手段９が配設されていると共に、水平搬送区間ＣＢに感温性粘着テープ８の感温性粘着層１２を非粘着状態となる温度にする非粘着状態化手段１０が配設されていることを特徴としている。【選択図】  図１
2005225617.tif 000002
【特許請求の範囲】
【請求項１】
主動ローラ（３）と従動ローラ（４）及び主動ローラ（３）と従動ローラ（４）との間に巻き回されるコンベアベルト（２）を備え、搬送物（１４）を低位置から高位置又は高位置から低位置へと搬送する急角度昇降ベルトコンベア（１）において、
上記急角度昇降ベルトコンベア（１）は、熱伝導性に優れる金属材料によって形成されるコンベアベルト（２）と、温度変化に応じて粘着状態から非粘着状態への可逆的変化を起こす感温性粘着層（１２）を有する感温性粘着テープ（８）を備え、上記感温性粘着テープ（８）は、基材（１１）を間にして一側に感温性粘着層（１２）、他側に通常の粘着層（１３）が形成されて成ると共に、上記感温性粘着層（１２）が上方に位置するように粘着層（１３）がコンベアベルト（２）の搬送面（６）上に貼着されて成り、さらに、上記急角度昇降ベルトコンベア（１）の搬送区間（ＡＢ）が、上流側の傾斜搬送区間（ＡＣ）と下流側の水平搬送区間（ＣＢ）によって構成され、上記傾斜搬送区間（ＡＣ）の搬送開始点（Ａ）よりも上流に感温性粘着テープ（８）の感温性粘着層（１２）を粘着状態となる温度にする粘着状態化手段（９）が配設されていると共に、上記水平搬送区間（ＣＢ）に感温性粘着テープ（８）の感温性粘着層（１２）を非粘着状態となる温度にする非粘着状態化手段（１０）が配設されていることを特徴とする感温性粘着テープを利用した急角度昇降ベルトコンベア。
【請求項２】
上記感温性粘着テープ（８）は、コンベアベルト（２）の搬送面（６）に対して所定の貼着間隔（Ｗ）で間欠的に貼着されていることを特徴とする請求項１記載の感温性粘着テープを利用した急角度昇降ベルトコンベア。
【請求項３】
上記感温性粘着テープ（８）は、コンベアベルト（２）の搬送面（６）に対して連続的に貼着されていることを特徴とする請求項１記載の感温性粘着テープを利用した急角度昇降ベルトコンベア。
【請求項４】
上記感温性粘着テープ（８）は、設定温度よりも高い温度で粘着状態となり、設定温度よりも低い温度で非粘着状態となるクールオフタイプであって、上記感温性粘着テープ（８）の感温性粘着層（１２）が、粘着状態化手段（９）の加熱による昇温によって粘着状態とされると共に、非粘着状態化手段（１０）の冷却による減温によって非粘着状態とされることを特徴とする請求項１，請求項２，請求項３の何れかに記載の感温性粘着テープを利用した急角度昇降ベルトコンベア。
【請求項５】
上記感温性粘着テープ（８）は、設定温度よりも低い温度で粘着状態となり、設定温度よりも高い温度で非粘着状態となるウォームオフタイプであって、上記感温性粘着テープ（８）の感温性粘着層（１２）が、粘着状態化手段（９）の冷却による減温によって粘着状態とされると共に、非粘着状態化手段（１０）の加熱による昇温によって非粘着状態とされることを特徴とする請求項１，請求項２，請求項３の何れかに記載の感温性粘着テープを利用した急角度昇降ベルトコンベア。
【発明の詳細な説明】
【技術分野】
【０００１】
本発明は、感温性粘着テープを利用した急角度昇降ベルトコンベアに関する。
【背景技術】
【０００２】
周知の通り、製品の製造ラインや出荷ライン等では搬送物を低位置から高位置又は高位置から低位置に搬送する手段の一つとして急角度昇降ベルトコンベアが使用されており、上記急角度昇降ベルトコンベアは、搬送面の傾斜角が１５度以上と大きく、傾斜した搬送面上から搬送物が滑り落ち易いため、コンベアベルトの搬送面に桟や溝を形成したり、高摩擦係数の素材を利用する等、様々な工夫が成されている。
【０００３】
具体的には、コンベアベルトの左右側縁部に波桟を立設すると共に、コンベアベルトの長手方向に所定の間隔を置いて横桟を立設することよって傾斜した搬送面から搬送物が滑り落ちないようにした急角度昇降ベルトコンベア（特許文献１参照）や、２つのベルトコンベアを対向させて配設し、搬送物を上下から挟みこむことによって傾斜した搬送面から搬送物が滑り落ちないようにした急角度昇降ベルトコンベア（特許文献２参照）が提案されている。
【０００４】
他方、物品を固定・保持する手段として粘着テープが用いられており、上記粘着テープの一つとして、温度変化に応じて粘着状態から非粘着状態への可逆的変化を起こす感温性粘着層を有し、粘着状態と非粘着状態をコントロールすることによって、物品の固定と固定の解除を行うことができる感温性粘着テープ（特許文献３参照）がある。
【０００５】
さらに、上記感温性粘着テープには、設定温度よりも高い温度で粘着状態となり、設定温度よりも低い温度で非粘着状態となるクールオフタイプの感温性粘着テープ（特許文献４参照）と、設定温度よりも低い温度で粘着状態となり、設定温度よりも高い温度で非粘着状態となるウォームオフタイプの感温性粘着テープ（特許文献５参照）があり、用途、例えば、医療分野（特許文献６参照）や使用環境等に応じて使い分けられている。
【特許文献１】特開平１１−１７１３１４
【特許文献２】特表２００１−５１５００２
【特許文献３】特開２００３−１２９０２９
【特許文献４】特開２００３−１８３６０８
【特許文献５】特開２０００−３５５６８４
【特許文献６】特開２０００−２７１２０４
【発明の開示】
【発明が解決しようとする課題】
【０００６】
上記従来の急角度昇降ベルトコンベアは、その形状や構造が複雑であるためコスト高となり易く、しかも、搬送できる物品や用途が限定されてしまうので、低コストで且つ多用途に利用できる急角度昇降ベルトコンベアが求められている。
【０００７】
また、粘着状態と非粘着状態とをコントロールできる感温性粘着テープの粘着力を利用して急角度昇降ベルトコンベアを形成することが考慮されるが、感温性粘着テープの温度の管理（昇温や減温）が困難であることや、感温性粘着テープの感温性粘着層が劣化した場合の交換等、様々な課題が解決されておらず、実用化には至っていないものである。
【０００８】
よって、本発明は、搬送物の制約が少なく、様々な用途に利用できる感温性粘着テープを利用した急角度昇降ベルトコンベアの提供を目的とする。
【課題を解決するための手段】
【０００９】
本発明は、上記目的を達成するために、次の技術的手段を有する。
即ち、主動ローラ３と従動ローラ４及び主動ローラ３と従動ローラ４との間に巻き回されるコンベアベルト２を備え、搬送物１４を低位置から高位置又は高位置から低位置へと搬送する急角度昇降ベルトコンベア１において、上記急角度昇降ベルトコンベア１は、熱伝導性に優れる金属材料によって形成されるコンベアベルト２と、温度変化に応じて粘着状態から非粘着状態への可逆的変化を起こす感温性粘着層１２を有する感温性粘着テープ８を備え、上記感温性粘着テープ８は、基材１１を間にして一側に感温性粘着層１２、他側に通常の粘着層１３が形成されて成ると共に、上記感温性粘着層１２が上方に位置するように粘着層１３がコンベアベルト２の搬送面６上に貼着されて成り、さらに、上記急角度昇降ベルトコンベア１の搬送区間ＡＢが、上流側の傾斜搬送区間ＡＣと下流側の水平搬送区間ＣＢによって構成され、上記傾斜搬送区間ＡＣの搬送開始点Ａよりも上流に感温性粘着テープ８の感温性粘着層１２を粘着状態となる温度にする粘着状態化手段９が配設されていると共に、上記水平搬送区間ＣＢに感温性粘着テープ８の感温性粘着層１２を非粘着状態となる温度にする非粘着状態化手段１０が配設されていることを特徴とする感温性粘着テープを利用した急角度昇降ベルトコンベアである。
【００１０】
そして、上記感温性粘着テープ８は、コンベアベルト２の搬送面６に対して所定の貼着間隔Ｗで間欠的に貼着されるか又は連続的に貼着されていることを特徴としている。
【００１１】
さらに、上記感温性粘着テープ８は、設定温度よりも高い温度で粘着状態となり、設定温度よりも低い温度で非粘着状態となるクールオフタイプであって、上記感温性粘着テープ８の感温性粘着層１２が、粘着状態化手段９の加熱による昇温によって粘着状態とされると共に、非粘着状態化手段１０の冷却による減温によって非粘着状態とされることを特徴としている。
【００１２】
さらに、上記感温性粘着テープ８は、設定温度よりも低い温度で粘着状態となり、設定温度よりも高い温度で非粘着状態となるウォームオフタイプであって、上記感温性粘着テープ８の感温性粘着層１２が、粘着状態化手段９の冷却による減温によって粘着状態とされると共に、非粘着状態化手段１０の加熱による昇温によって非粘着状態とされることを特徴としている。
【発明の効果】
【００１３】
本発明は、上記の如く構成され、コンベアベルト２の搬送面６上に貼着された感温性粘着テープ８の感温性粘着層１２の粘着力を利用し、傾斜搬送区間ＡＣの傾斜する搬送面６上から搬送物１４が滑り落ちることを防止するものであり、簡素な構造でありながら搬送物１４が滑り落ちることのない感温性粘着テープを利用した急角度昇降ベルトコンベア１を提供できる。
【００１４】
さらに、上記感温性粘着テープ８が熱伝導性に優れる金属材料で形成されたコンベアベルト２の搬送面６上に貼着されていることによって、感温性粘着テープ８の感温性粘着層１２の温度を素早く且つ均一に変化（昇温や減温）させることができ、感温性粘着テープ８の温度管理を容易に行うことができ、また、感温性粘着テープ８の感温性粘着層１２が劣化した場合には、感温性粘着テープ８を貼替えるだけで良いので、感温性粘着テープを利用した急角度昇降ベルトコンベア１の製造コスト及び維持コストを低く抑えることができる。
【００１５】
しかも、上記感温性粘着テープ８は薄く、搬送面６の平坦さが保たれ、従来のように桟や溝が搬送面６上に位置することがないので、搬送物１４に対する制約が少なく、様々な用途に利用できる。
【００１６】
そして、上記感温性粘着テープ８をコンベアベルト２の搬送面６に対して所定の貼着間隔Ｗで間欠的に貼着するか又は連続的に貼着するかを適宜選択することによって、搬送物１４に大きさや種類に応じて粘着力を調整することができると共に、感温性粘着テープ８の交換頻度や交換コストの低減を図ることができる。
【００１７】
さらに、上記感温性粘着テープ８としてクールオフタイプとウォームオフタイプとを使い分けることによって、感温性粘着テープを利用した急角度昇降ベルトコンベア１が使用される環境や搬送物１４の種類に細かく対応することができ、より使い勝手の良い感温性粘着テープを利用した急角度昇降ベルトコンベア１を提供することができる。
【発明を実施するための最良の形態】
【００１８】
次に添付図面に基づき、本発明の感温性粘着テープを利用した急角度昇降ベルトコンベアについて説明する。
図１は、搬送物１４を低位置から高位置へと搬送する場合に用いる上りタイプの感温性粘着テープを利用した急角度昇降ベルトコンベア１を示し、本実施の形態では、低位置に位置する上流側ベルトコンベア１５から高位置に位置する下流側ベルトコンベア１６へと搬送物１４を搬送する場合を示している。
【００１９】
上記感温性粘着テープを利用した急角度昇降ベルトコンベア１は、主動ローラ３と従動ローラ４及び主動ローラ３と従動ローラ４との間に巻き回されるコンベアベルト２を備え、上記感温性粘着テープを利用した急角度昇降ベルトコンベア１の搬送区間ＡＢ（搬送開始点Ａから搬送終了点Ｂまでの区間）は、上流側の傾斜搬送区間ＡＣ（搬送方向Ｆに対して上り傾斜）と下流側の水平搬送区間ＣＢによって構成され、傾斜搬送区間ＡＣから水平搬送区間ＣＢへ移行する部分（傾斜搬送終了・水平搬送開始点Ｃ）には、案内ローラー５ａ，５ｂが配設されている。
【００２０】
上記コンベアベルト２は、熱伝導性に優れた金属材料、例えばスチール等によって形成され、コンベアベルト２の搬送面６には、感温性粘着テープ８が間欠的に貼着されており（図２参照）、上記感温性粘着テープ８の貼着間隔Ｗは、搬送物１４の搬送方向Ｆの長さＬよりも小さく設定される（図３参照）。
【００２１】
上記感温性粘着テープ８は、温度変化に応じて粘着状態から非粘着状態への可逆的変化を起こす感温性粘着層１２を有して成るものであり、基材１１を間にして一側に感温性粘着層１２、他側に感温性ではない通常の粘着層１３が形成され、上記感温性粘着層１２が上方に位置する、即ち、搬送面６側に感温性粘着層１２が露出するように上記粘着層１３がコンベアベルト２の搬送面６上に貼着されている（図４参照）。
【００２２】
そして、本発明の感温性粘着テープを利用した急角度昇降ベルトコンベア１は、上述したように構成され、コンベアベルト２の搬送面６上に所定の貼着間隔Ｗで貼着された感温性粘着テープ８における感温性粘着層１２の粘着力を利用して、傾斜する搬送面６上から搬送物１４が滑り落ちることを防止するものである。
【００２３】
さらに、上記感温性粘着テープ８における感温性粘着層１２は、上流側ベルトコンベア１５から搬送物１４が受け渡され、傾斜する搬送面６上に搬送物１４が位置しているとき、即ち、傾斜搬送区間ＡＣにおいては、上記感温性粘着層１２が粘着状態にあり、また、下流側ベルトコンベア１６に搬送物１４を受け渡す際、即ち、水平搬送区間ＣＢにおいては、上記感温性粘着層１２が非粘着状態にある。
【００２４】
そして、上記の状態を実現するために、上記感温性粘着テープを利用した急角度昇降ベルトコンベア１の搬送区間ＡＢを構成する傾斜搬送区間ＡＣの搬送開始点Ａよりも上流に感温性粘着テープ８の感温性粘着層１２を粘着状態となる温度にする粘着状態化手段９を配設すると共に、水平搬送区間ＣＢに感温性粘着テープ８の感温性粘着層１２を非粘着状態となる温度にする非粘着状態化手段１０を配設している。
【００２５】
さらに、上記感温性粘着テープ８は、設定温度よりも高い温度で粘着状態となり、設定温度よりも低い温度で非粘着状態となるクールオフタイプのものと、設定温度よりも低い温度で粘着状態となり、設定温度よりも高い温度で非粘着状態となるウォームオフタイプのものがあり、クールオフタイプのものを使用する場合には、感温性粘着テープ８の感温性粘着層１２を粘着状態化手段９の加熱による昇温によって粘着状態とすると共に、非粘着状態化手段１０の冷却による減温によって非粘着状態とし、また、ウォームオフタイプのものを使用する場合には、感温性粘着テープ８の感温性粘着層１２を粘着状態化手段９の冷却による減温によって粘着状態とすると共に、非粘着状態化手段１０の加熱による昇温によって非粘着状態とするものである。
【００２６】
そして、上記粘着状態化手段９及び非粘着状態化手段１０としては、コンベアベルト２及びコンベアベルト２の搬送面６上に貼着された感温性粘着テープ８の感温性粘着層１２を加熱又は冷却することができる様々な手段・装置が考慮されるものであり、加熱による昇温を行う場合には、電熱ヒーターや赤外線ランプ、遠赤外線ランプからの放射熱あるいは輻射熱を利用した加熱装置、温風を吹きかける温風を利用した加熱装置、温水等の加熱媒体を利用した加熱装置等が用いられ、冷却による減温を行う場合には、冷風を吹きかける冷風を利用した冷却装置や冷水等の冷却媒体を利用した冷却装置等が用いられる。
【００２７】
また、上記粘着状態化手段９及び非粘着状態化手段１０による加熱や冷却は、コンベアベルト２の搬送面６の上方（図９）やコンベアベルト２の裏面７側（図１０）に設けられる加熱手段１７や冷却手段１８によって直接的あるいは間接的に行われるものであり、コンベアベルト２が熱伝導性に優れた金属材料によって形成されていることによって、感温性粘着テープ８に対する間接的な加熱や冷却が効率良く行われることとなるので、感温性粘着テープ８の加熱による昇温や冷却による減温が素早く且つ均一に行われる。
【００２８】
尚、図９，図１０に示した実線矢印は、加熱による昇温が行われる際の熱の流れを示しており、破線矢印は、冷却による減温が行われる際の熱の流れを示している。
【００２９】
さらに、上記感温性粘着テープ８は、図５に示したように、コンベアベルト２の搬送面６に対して連続的に貼着することも考慮され、この場合には、搬送方向Ｆの長さが異なる様々な大きさの搬送物１４に対応することができ、同一ラインを利用して多種多様な搬送物１４を搬送するのに適した感温性粘着テープを利用した急角度昇降ベルトコンベア１を提供できる。
【００３０】
また、図６は、搬送物１４を高位置から低位置へと搬送する場合に用いる下りタイプの感温性粘着テープを利用した急角度昇降ベルトコンベア１を示し、高位置に位置する上流側ベルトコンベア１５から低位置に位置する下流側ベルトコンベア１６へと搬送物１４を搬送する場合を示している。
【００３１】
そして、この下りタイプの感温性粘着テープを利用した急角度昇降ベルトコンベア１は、搬送区間ＡＢにおける傾斜搬送区間ＡＣの傾斜が搬送方向Ｆに対して下り傾斜であること及び傾斜搬送区間ＡＣから水平搬送区間ＣＢへ移行させるための案内ローラー５ｃ，５ｄの位置や形態（図示はしていないが、上記案内ローラー５ｃ，５ｄ、特に、案内ローラー５ｃは、搬送面６上に位置する搬送物１４の妨げとならないように、コンベアベルト２の側縁のみを搬送面６側から案内する）が多少異なる以外は、上述した上りタイプの感温性粘着テープを利用した急角度昇降ベルトコンベア１と同様の構成といえるので、その詳細な説明は省略する。
【００３２】
次に、上記構成に基づいて、本発明の感温性粘着テープを利用した急角度昇降ベルトコンベア１の作動を説明する。
上述したように、感温性粘着テープ８には、クールオフタイプとウォームオフタイプがあり、先ず、図７に示したクールオフタイプの感温性粘着テープ８を使用した場合における感温性粘着テープ８（感温性粘着層１２）の温度の変化と粘着力の変化に基づき、クールオフタイプの感温性粘着テープを利用した急角度昇降ベルトコンベア１の作動について説明する。
【００３３】
クールオフタイプの感温性粘着テープを利用した急角度昇降ベルトコンベア１は、搬送物１４を搬送する際に、搬送区間ＡＢの上流側を構成する傾斜搬送区間ＡＣの上流に配された粘着状態化手段９による感温性粘着テープ８の加熱が行われ、感温性粘着テープ８は、感温性粘着層１２が粘着状態と非粘着状態の境となる温度（以下スイッチング温度ＳＴ）より高い温度に昇温され、搬送開始点Ａにおいて粘着状態とされている。
【００３４】
そして、この粘着状態は、搬送区間ＡＢの下流側を構成する水平搬送区間ＣＢに配された非粘着状態化手段１０による感温性粘着テープ８の冷却が行われるまで続き、冷却されスイッチング温度ＳＴより低い温度に減温されることにより、感温性粘着テープ８は、搬送終了点Ｂにおいて非粘着状態とされる。
【００３５】
即ち、搬送区間ＡＢにおける傾斜搬送区間ＡＣにおいて感温性粘着テープ８の感温性粘着層１２が粘着状態であることにより、上流側ベルトコンベア１５から受け渡された搬送物１４が傾斜搬送区間ＡＣにおいて感温性粘着層１２に接着された状態で搬送されることとなり、搬送物１４が傾斜する搬送面６から滑り落ちることが確実に防止される。
【００３６】
さらに、水平搬送区間ＣＢにて冷却され、搬送終了点Ｂにおいて感温性粘着テープ８の感温性粘着層１２が非粘着状態とされることにより、搬送物１４と感温性粘着層１２との接着が解消され、搬送終了点Ｂから下流側ベルトコンベア１６への搬送物１４の受け渡しをスムーズに行うことができる。
【００３７】
次に、図８に示したウォームオフタイプの感温性粘着テープ８を使用した場合における感温性粘着テープ８（感温性粘着層）の温度の変化と粘着力の変化に基づき、ウォームオフタイプの感温性粘着テープを利用した急角度昇降ベルトコンベア１の作動について説明する。
【００３８】
ウォームオフタイプの感温性粘着テープを利用した急角度昇降ベルトコンベア１では、搬送物１４を搬送する際に、搬送区間ＡＢの上流側を構成する傾斜搬送区間ＡＣの上流に配された粘着状態化手段９による感温性粘着テープ８の冷却が行われ、感温性粘着テープ８は、感温性粘着層１２がスイッチング温度ＳＴより低い温度に減温され、搬送開始点Ａにおいて粘着状態とされている。
【００３９】
そして、この粘着状態は、搬送区間ＡＢの下流側を構成する水平搬送区間ＣＢに配された非粘着状態化手段１０による感温性粘着テープ８の加熱が行われるまで続き、加熱されスイッチング温度ＳＴより高い温度に昇温されることにより、感温性粘着テープ８は、搬送終了点Ｂにおいて非粘着状態とされる。
【００４０】
そして、この場合も、搬送物１４が傾斜する搬送面６から滑り落ちることなく確実に搬送されると共に、下流側ベルトコンベア１６への搬送物１４の受け渡しがスムーズに行われる。
【００４１】
そして、上述したように、本発明の感温性粘着テープを利用した急角度昇降ベルトコンベア１は、搬送物１４を低位置から高位置又は高位置から低位置に確実に搬送することができ、しかも、非常に簡素な構成であるので、搬送物の制約が少なく、様々な用途に利用できる。
【００４２】
また、感温性粘着テープを利用した急角度昇降ベルトコンベア１において、クールオフタイプの感温性粘着テープ８を利用するか、ウォームオフタイプの感温性粘着テープ８を利用するかは、その使用環境や用途、搬送物１４の種類に応じて適宜選択することができ、その使い勝手は非常に良いものである。
【００４３】
さらに、上記粘着状態化手段９及び非粘着状態化手段１０は、上述したように感温性粘着テープ８がクールオフタイプの場合には、粘着状態化手段９として加熱手段１７、非粘着状態化手段１０として冷却手段１８が用いられ、ウォームオフタイプの場合には、粘着状態化手段９として冷却手段１８、非粘着状態化手段１０として加熱手段１７が用いられるものであるが、感温性粘着テープを利用した急角度昇降ベルトコンベア１の汎用性を高めるため、即ち、クールオフタイプとウォームオフタイプの双方に対応できるようにすることが好ましい。
【００４４】
そこで、上記粘着状態化手段９及び非粘着状態化手段１０をクールオフタイプとウォームオフタイプの双方に対応させるため、加熱も冷却も行うことができる加熱・冷却装置とした例を示しているのが図１１，図１２であり、以下にその詳細を説明する。
【００４５】
粘着状態化手段９及び非粘着状態化手段１０となる加熱・冷却装置２１は、コンベアベルト２の裏面７に接するように配設されると共に、媒体通路２９が形成された加熱・冷却部２２を備え、上記加熱・冷却部２２の媒体通路２９には、加熱又は冷却された媒体を循環させる一次側管路２５と二次側管路２６が接続されている。
【００４６】
一次側管路２５と二次側管路２６の間には、切替弁２８ａ，２８ｂを介して媒体加熱手段２３と媒体冷却手段２４が並列に配設されており、上記切替弁２８ａ，２８ｂによって媒体通路２９へと送られる媒体の加熱又は冷却が選択されるように構成され、上記加熱又は冷却された媒体は、二次側管路２６に配設されたポンプ２７によって媒体流路２９に送出される。
【００４７】
そして、加熱・冷却部２２に形成された媒体通路２９に送られる媒体を加熱媒体又は冷却媒体とすることによって、加熱・冷却部２２を加熱手段又は冷却手段として使用することができ、この加熱・冷却装置２１を粘着状態化手段９及び非粘着状態化手段１０として用いることにより、粘着状態化手段９及び非粘着状態化手段１０を必要に応じて加熱手段又は冷却手段に切り替えることが可能となり、クールオフタイプとウォームオフタイプ双方の感温性粘着テープ８に対応することが可能となる。
【００４８】
また、上記加熱・冷却装置を構成する加熱・冷却部２２の周囲及び上方をカバー３０で覆うことも考慮され、粘着状態化手段９及び非粘着状態化手段１０による感温性粘着テープ８の加熱や冷却を効率良く行うことができる。
【実施例１】
【００４９】
次に、本発明の感温性粘着テープを利用した急角度昇降ベルトコンベア１にて使用されるクールオフタイプの感温性粘着テープ８の一例について詳述する。
クールオフタイプの感温性粘着テープ８の感温性粘着層１２は、使用環境や用途に応じて２０〜５０℃の間に粘着状態と非粘着状態の境となる温度（スイッチング温度ＳＴ）が設定され、スイッチング温度ＳＴを間にして約１０℃温度差を与えることで、粘着力が急激に変化するものである。
【００５０】
そして、上記感温性粘着層１２は、炭素数１６以上の直鎖状アルキル基を側鎖とするアクリル酸アルキルエステル及び／又はメタクリル酸アルキルエステルを構成成分とし、且つ約３５℃より狭い温度範囲にわたって起こる融点（第１次溶解転移）を持つ側鎖結晶化可能ポリマーを含有する接着剤組成物から形成され、上記側鎖結晶化可能ポリマーが、アルキル基の炭素数が１〜６のアクリル酸アルキルエステル及び／又はメタクリル酸アルキルエステル４０〜７０重量％と、カルボキシ基含有エチレン性不飽和単量体２〜１０重量％と、アルキル酸の炭素数が１６〜２２のアクリル酸アルキルエステル及び／又はメタクリル酸アルキルエステル２０〜５５重量％と、を含有するモノマー混合物から得られたものである。
【００５１】
そして、基材１１としては、ポリエチレン、ポリプロピレン、ポリエステル、ポリアミド、ポリカーボネイト、エチレン酢酸ビニル共重合体、エチレンエチルアクリレート共重合体、エチレンポリプロピレン共重合体、ポリ塩化ビニル等の合成樹脂フィルムの単層体またはこれらの複層体から成る厚さが５〜５００μｍのシート等が考慮される。
【００５２】
そして、粘着層１３（感温性でない通常の粘着層）としては、感圧性の接着剤が考慮され、例えば、天然ゴム接着剤、合成ゴム接着剤、スチレン／ブタジエンラテックスベース接着剤、ブロック共重合体型の熱可塑性ゴム、ブチルゴム、ポリイソブチレン、アクリル接着剤、ビニルエーテルの共重合体接着剤組成物等が考慮される。
【実施例２】
【００５３】
次に、本発明の感温性粘着テープを利用した急角度昇降ベルトコンベア１にて使用されるウォームオフタイプの感温性粘着テープ８の一例について説明する。
ウォームオフタイプの感温性粘着テープ８の感温性粘着層１２は、使用環境や用途に応じて２０〜５０℃の間に粘着状態と非粘着状態の境となる温度（スイッチング温度ＳＴ）が設定され、スイッチング温度ＳＴを間にして約５℃温度差を与えることで、粘着力が急激に変化するものである。
【００５４】
そして、上記感温性粘着層１２は、感圧性接着剤と側鎖結晶化可能ポリマーを含有する接着剤組成物から形成され、上記側鎖結晶化可能ポリマーが、アルキル基の炭素数が１〜６のアクリル酸アルキルエステル及び／又はメタクリル酸アルキルエステル４０〜７０重量％と、カルボキシ基含有エチレン性不飽和単量体２〜１０重量％と、アルキル酸の炭素数が１６以上のアクリル酸アルキルエステル及び／又はメタクリル酸アルキルエステル２０〜５０重量％と、を含有するモノマー混合物から得られたものであり、上記ポリマーの重量平均分子量は、３，０００〜２５，０００である。
【００５５】
そして、基材１１及び粘着層１３については、上記クールオフタイプの場合と同様であるので、その詳細については省略する。
【００５６】
尚、上記実施例１及び実施例２は、クールオフタイプ及びウォームオフタイプの感温性粘着テープ８の代表的な例であり、上述した以外の感温性粘着テープ８を本発明に利用することも勿論可能である。
【図面の簡単な説明】
【００５７】
【図１】本発明の感温性粘着テープを利用した急角度昇降ベルトコンベア（上りタイプ）の構成図である。
【図２】図１におけるＰ矢視展開図である。
【図３】図２における部分拡大図である。
【図４】図３におけるＸ−Ｘ線に沿う断面図である。
【図５】感温性粘着テープの他の貼着例を示す展開図である。
【図６】本発明の感温性粘着テープを利用した急角度昇降ベルトコンベア（下りタイプ）の構成図である。
【図７】クールオフタイプの感温性粘着テープにおける温度の変化及び粘着力の変化を示す図である。
【図８】ウォームオフタイプの感温性粘着テープにおける温度の変化及び粘着力の変化を示す図である。
【図９】感温性粘着テープを上方から加熱又は冷却した際の状態を示す図である。
【図１０】感温性粘着テープを下方又は冷却から加熱した際の状態を示す図である。
【図１１】加熱・冷却装置の例を示す構成図である。
【図１２】図１１におけるＹ−Ｙ線に沿う断面図である。
【符号の説明】
【００５８】
１  急角度昇降ベルトコンベア
２  コンベアベルト
３  主動ローラ
４  従動ローラ
５ａ，５ｂ，５ｃ，５ｄ  案内ローラ
６  搬送面
７  裏面
８  感温性粘着テープ
９  粘着状態化手段
１０  非粘着状態化手段
１１  基材
１２  感温性粘着層
１３  粘着層
１４  搬送物
１５ａ，１５ｂ  上流側ベルトコンベア
１６ａ，１６ｂ  下流側ベルトコンベア
１７  加熱手段
１８  冷却手段
２１  加熱・冷却装置
２２  加熱・冷却部
２３  媒体加熱手段
２４  媒体冷却手段
２５  一次側配管
２６  二次側配管
２７  ポンプ
２８ａ，２８ｂ  切替弁
２９  媒体通路
３０  カバー
Ａ  搬送開始点
Ｂ  搬送終了点
Ｃ  傾斜搬送終了・水平搬送開始点
ＡＢ  搬送区間
ＡＣ  傾斜搬送区間
ＣＢ  水平搬送区間
Ｆ  搬送方向
Ｌ  搬送物における搬送方向の長さ
Ｗ  感温性粘着テープの貼着間隔
ＳＴ  スイッチング温度
【図１】
2005225617.tif 000003
【図２】
2005225617.tif 000004
【図３】
2005225617.tif 000005
【図４】
2005225617.tif 000006
【図５】
2005225617.tif 000007
【図６】
2005225617.tif 000008
【図７】
2005225617.tif 000009
【図８】
2005225617.tif 000010
【図９】
2005225617.tif 000011
【図１０】
2005225617.tif 000012
【図１１】
2005225617.tif 000013
【図１２】
2005225617.tif 000014